【事件の表示】
　特許第３８０１３８４号に関する訂正審判事件について、次のとおり審決する。
【結　論】
　特許第３８０１３８４号に係る明細書及び図面を本件審判請求書に添付された訂正明細書及び図面のとおり訂正することを認める。
【理　由】
第１　手続の経緯
　本件訂正審判の請求に係る特許第３８０１３８４号（以下「本件特許」という。）は、平成１１年５月３１日の特許出願であって、その請求項１〜８に係る発明は、平成１８年５月１２日に特許権の設定登録がなされ、平成２５年６月１９日に本件訂正審判の請求がなされた。
　
第２　審判請求の趣旨及び訂正の内容
　１　請求の趣旨及び訂正の内容
　本件訂正審判の請求の要旨は、本件特許の願書に添付した明細書（以下「本件特許明細書」という。）の特許請求の範囲、発明の詳細な説明を本件審判請求書に添付した訂正明細書の特許請求の範囲、発明の詳細な説明のとおり訂正することを認める、との審決を求めるものである。
　そして、本件特許の訂正（以下「本件訂正」という。）の内容は、以下のとおりである。
　（１）請求項１〜２からなる「一群の請求項」に係る訂正
　　　ア　訂正事項１
　特許請求の範囲の請求項１に「機体内に貯留されたメダルからゲーム実行のために投入するメダル枚数を設定するようにしたスロットマシンにおいて、」とあるのを、「機体内に貯留された
貯留
メダルの投入枚数
　
　　　イ　訂正事項２
　特許請求の範囲の請求項１に「前記メダルの投入枚数を設定するための設定スイッチと、この設定スイッチの操作に応じて、前記貯留メダルより所定数のメダルを引き落としてゲームのために設定するメダル設定手段とを具備し、」とあるのを、「前記メダルの投入枚数を設定するため
と投入メダルの設定枚数を削減するため
処理と投入メダルの設定枚数を削減する処理とを実行する
　
　　　ウ　訂正事項３
　特許請求の範囲の請求項１に「前記投入メダルとして設定されたメダル枚数」とあるのを、「前記投入メダルとして設定された
投入メダルの設定枚数
　
　　　エ　訂正事項４
　発明の詳細な説明における「メダルの投入枚数を設定するための設定スイッチと、この設定スイッチの操作に応じて、前記貯留メダルより所定数のメダルを引き落としてゲームのために設定するメダル設定手段とを具備する。」（段落【0008】）との記載を「メダルの投入枚数を設定するため
と投入メダルの設定枚数を削減するため
処理と投入メダルの設定枚数を削減する処理とを実行する
　
　　　オ　訂正事項５
　発明の詳細な説明における「前記投入メダルとして設定されたメダル枚数」（段落【0008】）との記載を「前記投入メダルとして設定された
投入メダルの設定枚数
　
　（２）請求項１、３〜８からなる「一群の請求項」に係る訂正
　特許請求の範囲の請求項１に係る訂正については、上記（１）のア〜オを参照のこと。
　　　カ　訂正事項６
　特許請求の範囲の請求項３に「機体内に貯留されたメダルからゲーム実行のために投入するメダル枚数を設定するようにしたスロットマシンにおいて、」とあるのを、「機体内に貯留された
貯留
メダルの投入枚数
　
　　　キ　訂正事項７
　特許請求の範囲の請求項３に「前記メダルの投入枚数を設定するための設定スイッチと、前記貯留メダルを精算するための精算スイッチと、各スイッチの操作に応じて前記貯留メダルより所定数のメダルを引き落としてゲームのために設定するメダル設定手段とを具備し、」とあるのを、「前記メダルの投入枚数を設定するための設定スイッチと、前記貯留メダルを精算するため
と前記設定スイッチにより設定された投入メダルの設定枚数を削減するため
前記設定
処理を実行し、前記精算スイッチの操作に応じて投入メダルの設定枚数を削減する処理を実行する
　
　　　ク　訂正事項８
　特許請求の範囲の請求項４に「機体内に貯留されたメダルからゲーム実行のために投入するメダル枚数を設定するようにしたスロットマシンにおいて、」とあるのを、「機体内に貯留された
貯留
メダルの投入枚数
　
　　　ケ　訂正事項９
　特許請求の範囲の請求項４に「前記メダルの投入枚数を設定するための設定スイッチと、前記貯留メダルを精算するための精算スイッチと、各スイッチの操作に応じて前記貯留メダルより所定数のメダルを引き落としてゲームのために設定するメダル設定手段とを具備し、」とあるのを、「前記メダルの投入枚数を設定するための設定スイッチと、前記貯留メダルを精算するため
と前記設定スイッチにより設定された投入メダルの設定枚数を削減するため
前記設定
処理を実行し、前記精算スイッチの操作に応じて投入メダルの設定枚数を削減する処理を実行する
　
　　　コ　訂正事項１０
　特許請求の範囲の請求項５に「機体内に貯留されたメダルからゲーム実行のために投入するメダル枚数を設定するようにしたスロットマシンにおいて、」とあるのを、「機体内に貯留された
貯留
メダルの投入枚数
　
　　　サ　訂正事項１１
　特許請求の範囲の請求項５に「この設定スイッチの操作に応じて、前記貯留メダルより所定数のメダルを引き落としてゲームのために設定するメダル設定手段」とあるのを、「この設定スイッチの操作に応じて、前記貯留メダルより所定数のメダルを引き落としてゲームのために設定する
処理を実行する
　
　　　シ　訂正事項１２
　発明の詳細な説明における「メダルの投入枚数を設定するための設定スイッチと、前記貯留メダルを精算するための精算スイッチと、各スイッチの操作に応じて前記貯留メダルより所定数のメダルを引き落としてゲームのために設定するメダル設定手段とを具備する。」（段落【0010】）との記載を「メダルの投入枚数を設定するための設定スイッチと、前記貯留メダルを精算するため
と前記設定スイッチにより設定された投入メダルの設定枚数を削減するため
前記設定
処理を実行し、前記精算スイッチの操作に応じて投入メダルの設定枚数を削減する処理を実行する
　
　　　ス　訂正事項１３
　発明の詳細な説明における「この設定スイッチの操作に応じて、前記貯留メダルより所定数のメダルを引き落としてゲームのために設定するメダル設定手段」（段落【0011】）との記載を「この設定スイッチの操作に応じて、前記貯留メダルより所定数のメダルを引き落としてゲームのために設定する
処理を実行する
　
第３　当審の判断
　１　訂正の目的の適否について
　（１）訂正事項１、６、８、１０
　訂正事項１、６は、「メダル」が「
貯留
メダルの投入枚数
　
　（２）訂正事項２
　訂正事項２は、「設定スイッチ」が「メダルの投入枚数を設定する」ことに加えて「
投入メダルの設定枚数を削減する
処理
投入メダルの設定枚数を削減する処理
を実行する
　
　（３）訂正事項３
　訂正事項３は、「設定されたメダル枚数」が「設定された
投入メダルの設定枚数
　
　（４）訂正事項４〜５
　本件特許明細書において、訂正の要件を満たす訂正事項１〜３に整合させる内容の訂正を行う訂正事項４〜５は、明瞭でない記載の釈明を目的とするものである。
　
　（５）訂正事項７、９
　訂正事項７は、「精算スイッチ」が「貯留メダルを精算する」ことに加えて「
設定スイッチにより設定された投入メダルの設定枚数を削減する
処理
精算スイッチの操作に応じて投入メダルの設定枚数を削減する処理
を実行する
　
　（６）訂正事項１１
　訂正事項１１は、「メダル設定手段」が「貯留メダルより所定数のメダルを引き落としてゲームのために設定する
処理を実行する
　
　（７）訂正事項１２〜１３
　本件特許明細書において、訂正の要件を満たす訂正事項１〜３、６〜１１に整合させる内容の訂正を行う訂正事項１２〜１３は、明瞭でない記載の釈明を目的とするものである。
　
　（８）まとめ
　したがって、本件訂正審判の請求に係る訂正事項１〜１３は、特許法第１２６条第１項ただし書第３号に掲げる事項を目的とするものである。
　
　２　一群の請求項を構成するか否かについて
　本件訂正後の特許請求の範囲の請求項２は、上記訂正事項１〜３を含む請求項１を引用するものである。そして、従属項である請求項２は、その訂正される請求項１とともに「一群の請求項」を構成する。
　したがって、請求項１〜２は、特許法施行規則第４６条の２第１号に規定する関係を有する一群の請求項である。
　また、本件訂正後の特許請求の範囲の請求項６〜８は、上記訂正事項１〜３を含む請求項１、上記訂正事項６〜７を含む請求項３、上記訂正事項８〜９を含む請求項４、上記訂正事項１０〜１１を含む請求項５をそれぞれ引用するものである。そして、請求項１、３〜５の各々は独立した請求項であり、共通する従属項である請求項６〜８の各々は、請求項１、３〜５の全ての訂正事項をそれぞれ含むので、請求項１、３〜８は、請求項６〜８を中心として「一群の請求項」を構成する。
　したがって、請求項１、３〜８は、特許法施行規則第４６条の２第３号に規定する関係を有する一群の請求項である。
　ゆえに、本件訂正審判は、一群の請求項毎に請求をするものであるから、特許法第１２６条第４項の規定に適合する。　
　
　３　訂正が本件特許明細書及び図面（以下「本件特許明細書等」という。）に記載した事項の範囲内のものであるか否かについて
　本件特許明細書の段落【0039】〜【0040】には、マイクロコンピュータ（ＣＰＵ２６）が「ゲームに関わる一連の処理を実行する」ことが記載されている。
　この記載から、ＣＰＵ２６により実現される「メダル設定手段」が処理を実行するものであることが導かれる。
　そうすると、訂正事項２における「メダル設定手段」が処理を実行することは、本件特許明細書等に記載した事項の範囲内のものである。
　したがって、訂正事項１〜１３は、本件特許明細書等に記載した事項又は記載した事項から自明の事項であり、本件特許明細書等に記載した事項の全ての記載を総合することにより導かれる技術的事項との関係において新たな技術的事項を導入しないものであるから、本件訂正審判の請求に係る訂正事項１〜１３は、本件特許の明細書又は図面に記載した事項の範囲内においてするものであり、特許法第１２６条第５項の規定に適合する。
　
　４　訂正が実質上特許請求の範囲を拡張し、又は変更するものであるか否かについて
　本件訂正審判の請求に係る訂正事項１〜１３は、カテゴリーや対象、目的を変更するものではないから、実質上特許請求の範囲を拡張し、又は変更するものには該当せず、特許法第１２６条第６項の規定に適合する。
　
第４　むすび 
　以上のとおりであるから、本件訂正審判の請求に係る訂正事項１〜１３は、特許法第１２６条第１項ただし書第３号に掲げる事項を目的とするものであり、かつ同条第４〜６項の規定に適合するものである。
　
　よって、結論のとおり審決する。